(57)【要約】  【課題】睡眠時に長時間にわたり安定して使用できるうつぶせ寝用寝具を提供しようとする。  【解決手段】基床に前後方向に敷いて用いる寝具であって、前方に位置し人の頭部を載置する枕部と、人の肩部から胴部にかけた部分の近傍に前後方向に互いに略平行に設置される一対のクッション性を有する棒部とを含んでなり、前記枕部の使用時対応定荷重高さの値が前記棒部の使用時対応定荷重厚さの値より大きくされ、各前記棒部の前方端部と、前記枕部とが連結されてなるうつぶせ寝用寝具である。前記枕部は、中央部に陥没部、貫通孔、切り欠き部から選択される欠損部を有し得る。また、各前記棒部の前方端部と、前記枕部の後方端部とは着脱自在に連結されてなり得る。  【選択図】  図１（ｂ）
2007282691.tif 000002
【特許請求の範囲】
【請求項１】
基床に前後方向に敷いて用いる寝具であって、前方に位置し人の頭部を載置する枕部と、人の肩部から胴部にかけた部分の近傍に前後方向に互いに略平行に設置される一対のクッション性を有する棒部とを含んでなり、
前記枕部の使用時対応定荷重高さの値が前記棒部の使用時対応定荷重厚さの値より大きくされ、
各前記棒部の前方端部と、前記枕部とが連結されてなるうつぶせ寝用寝具。
【請求項２】
前記枕部が中央部に陥没部、貫通孔、切り欠き部から選択される欠損部を有するうつぶせ寝用寝具。
【請求項３】
各前記棒部の前方端部と、前記枕部の後方端部とが着脱自在に連結されてなる請求項１又は２に記載のうつぶせ寝用寝具。
【請求項４】
各前記棒部の前方端部と、前記枕部の後方端部とが可撓性部材を介して連結されてなる請求項１乃至３のいずれかに記載のうつぶせ寝用寝具。
【請求項５】
前記棒部同士が可撓性の中間部材を介して結合されてなる請求項１乃至４のいずれかに記載のうつぶせ寝用寝具。
【発明の詳細な説明】
【技術分野】
【０００１】
本発明は、うつぶせ寝に適した寝具に関する。
【背景技術】
【０００２】
うつぶせ寝は、聖路加病院の日野原先生等の医師によっても提唱されている（例えば、非特許文献１参照）ように、健康によいとされている。
医師の説によれば、人間も元来は四つ足の動物と同じく内臓がうつぶせ寝時の向きにあることが安定した状態であり、睡眠時も、この状態をとること、即ち、うつぶせ寝が健康上好ましいとされる。うつぶせ寝を習慣づけることにより、ひとつには舌根沈下が防止される。また、誤嚥が防止される。舌根沈下は無呼吸症候群の原因であり、誤嚥は、糖尿病などで免疫力の低下した人にとっては誤嚥性肺炎や気管支炎の原因となる。うつぶせ寝により唾液の分泌が促進され、睡眠時に雑菌を唾液とともに口外に排出することができる。また、うつぶせ寝は痰の排出を容易にする。
【０００３】
医師の説によれば、楽なうつぶせ寝のポイントは、頭を横向きにし、マットと身体の間にすきまができないようにクッションで埋めることである。
【０００４】
従来の寝具においてもうつぶせ寝を目的にしたものがいくつか提案されているが、これらは特殊な用途に用いられるものが多く、一般人が日常的に用いるのに適したものではなかった。とくに、上記のような楽なうつぶせ寝を実現させるものではなかった。
【０００５】
うつぶせ寝用寝具としては、上面が開放されている互いに平行な多数の溝が刻まれた、比較的固いクッション材と、この比較的固いクッション材の上面に重ねられた柔らかいクッション材であって、その上面から固いクッション材の溝に至るように、多数の空気孔が設けられたものからなる寝具が開示されている（例えば、特許文献１参照）が、これは幼児用のものである。また、上記のような楽なうつぶせ寝を実現させるものではない。
【０００６】
また、枕本体の中央部に使用者の顔面の輪郭形状にほぼ相応した形状の孔を設け、使用者の顔面周縁部を受ける、少くとも枕本体の孔の周縁部が弾性材料で構成され、横方向には予定の範囲でほぼ水平に変位できるが縦方向には変位しないように枕本体を支持体に装着したことを特徴とする枕が開示されている（例えば、特許文献２参照）が、これは医療用の枕であり一般日常の継続使用には不適である。
【０００７】
さらに、コの字型の骨格部分とクッション部分とから成り、骨格部分に、空気の出入りが可能な穴または隙間を有し、額を当てる部分の手前に鼻を挿入するための穴もしくは隙間を有し、後頭部または額・頬部を支えるための凹みを有する枕が開示されている（例えば、特許文献３参照）が、この枕は使用時に寝返りなどで枕が頭部からずれた場合、睡眠状態で元の装着状態に戻すことが難しい。また、上記のような楽なうつぶせ寝を実現させるものではない。
【特許文献１】特開２００３−６１７９１号公報
【特許文献２】特開平１０−２７７１０２号公報
【特許文献３】特開平７−２７５０９８号公報
【非特許文献１】「うつぶせ健康法」監修：日野原  重明（聖路加国際病院理事長  同名誉院長）、著者：川島  みどり（日本赤十字看護大学教授）  丸山  征四郎（兵庫医科大学教授）、発行：ＫＫベストセラーズ、発行日：２００５年１２月８日
【発明の開示】
【発明が解決しようとする課題】
【０００８】
本発明の目的は、睡眠時に長時間にわたり安定して使用できるうつぶせ寝用寝具を提供しようとすることである。
【課題を解決するための手段】
【０００９】
本発明の要旨とするところは、基床に前後方向に敷いて用いる寝具であって、前方に位置し人の頭部を載置する枕部と、人の肩部から胴部にかけた部分の近傍に前後方向に互いに略平行に設置される一対のクッション性を有する棒部とを含んでなり、
前記枕部の使用時対応定荷重高さの値が前記棒部の使用時対応定荷重厚さの値より大きくされ、
各前記棒部の前方端部と、前記枕部とが連結されてなるうつぶせ寝用寝具であることにある。
【００１０】
前記枕部は、中央部に陥没部、貫通孔、切り欠き部から選択される欠損部を有し得る。
【００１１】
各前記棒部の前方端部と、前記枕部の後方端部とは着脱自在に連結されてなり得る。
【００１２】
各前記棒部の前方端部と、前記枕部の後方端部とは可撓性部材を介して連結されてなり得る。
【００１３】
前記棒部同士は可撓性の中間部材を介して結合されてなり得る。
【発明の効果】
【００１４】
本発明によると、睡眠時に長時間にわたり安定して使用できるうつぶせ寝用寝具が提供される。
【発明を実施するための最良の形態】
【００１５】
本発明のうつぶせ寝用寝具の態様について説明する。なお、本明細書においては、各図にわたって記される同じ符号は同一又は同様の部材やものを示す。図１において本発明のうつぶせ寝用寝具２は、基床３に前後方向に敷いて用いる寝具であって、前方に位置し人の頭部を載置する枕部４と、人の肩部から胴部にかけた部分の近傍に前後方向に互いに略平行に設置される一対の棒部６、６とを含んでなり、棒部６の前方端部７と、枕部４とが連結されてなるうつぶせ寝用寝具である。
【００１６】
端部７と、枕部４とは直接接合されていてもよいが、図１に示すように可撓性の中間部材８を介して着脱自在に連結されていることが不使用時の収納が容易となるうえでも好ましい。図1においては、中間部材８は方形の布地９からなるが、端部７と、枕部４とを連結する可撓性の部材であれば布地に限定されず、紐状の部材からなるものであってもよい。また、図1においては、端部７と布地９の後端とがホック１１により連結されている。端部７にはホックのオスが、布地９の後端にはホックのメス１３が配される。メス１３はオスの数より多く配され、メス１３の選択により端部７の連結される位置を変えることができる。これにより、一対の棒部６、６間の間隔を使用する人のサイズに合わせて調整できる。端部７と布地９の後端との連結は面ファスナー、ファスナー、ボタン等の着脱自在な連結手段を介して行なわれてもよい。
【００１７】
一対の棒部６、６同士は就寝の初期において平行になっていることが、安定したうつぶせ寝を実現するうえで好ましい。このために、一対の棒部６、６の後端部８１は、後端部連結手段８０を介して着脱自在に連結されていることが好ましい。後端部連結手段８０は一の帯部材８８と、他の帯部材８９と、ホック８２とで構成されている。一の帯部材８８の一端部が一方の棒部６の後端部８１に結合され、他の帯部材８９の一端部が他方の棒部６の後端部８１に結合されている。一の帯部材８８は他方の棒部６の後端部８１に向けて延出され、他の帯部材８９は一方の棒部６の後端部８１に向けて延出されている。一の帯部材８８の先端部と他の帯部材８９の先端部とはホック８２を介して着脱自在に結合されている。一の帯部材８８にはホックのメス８４が複数個配される。ホックのオス８５は他の帯部材８９の先端部に配されている。メス８４の選択により、ホックの結合位置を変えることができる。これにより、一対の棒部６、６間の間隔を使用する人のサイズに合わせて調整できる。一の帯部材８８と他の帯部材８９とはホックに限らず面ファスナーのような着脱自在な結合手段で結合されていてもよい。
【００１８】
後端部連結手段８０は一対の棒部６、６同士をほぼ平行に保つものであれば上記の態様に限定されない。また、後端部連結手段８０による後端部８１の連結は外力により容易に外れる程度の弱い連結力を有するものであることが好ましい。一対の棒部６、６の連結が弱いことにより、睡眠中に意識的あいは半ば無意識的に後端部８１の連結をはずして一対の棒部６、６をハの字状に開脚させるようにすることが、うつぶせ寝から横向き寝に円滑に移行するうえで好ましい。
【００１９】
枕部４は枕台部１２と、枕台部１２に載置された枕本体部１４とから構成される。枕台部１２の前方下縁１５が布地９の前端縁１７と縫い目１８を介して縫合により結合している。この結合はファスナーを介するものであってもよい。枕部４と布地９との結合は面ファスナー、ホックあるいはボタン等の着脱自在な結合手段によるものであってもよい。
【００２０】
枕本体部１４と枕台部１２とは面ファスナー２０を介して着脱自在に連結されている。これにより、枕本体部１４の水平方向の位置が調整できる。
【００２１】
枕台部１２は、基床３の面と平行な仮想面２１を境にする下段台部２２と、下段台部２２に載置された上段台部２４とからなり、下段台部２２と上段台部２４とが面ファスナー２６等の着脱自在な連結手段を介して着脱自在に連結されていてもよい。このような態様では下段台部２２の着脱により、枕部４の高さが調節可能となる。
【００２２】
枕本体部１４は、略楕円型のドーナツ形状のクッション部材３０と、クッション部材３０の中央部の空隙に位置してクッション部材３０の前部と後部とに差し渡された差し渡し部材３４とから構成される。これにより差し渡し部材３４と、クッション部材３０の左右各部との間には空隙３５、３７が形成される。差し渡し部材３４は就寝時に頭部を支える。空隙３５、３７は、頭を横向きにして枕部４に載せたときに鼻孔の近傍に空間を形成するのに役立ち、鼻呼吸時の吸排気を円滑にする。枕本体部１４のドーナツ形状の中央部の空隙が小さい場合は差し渡し部材３４はなくてもよい。また、枕本体部１４が上面視略馬蹄形もしくは上面視略Ｃ字形状であってもよい。
【００２３】
空隙３５、３７のような空隙は、ドーナツ形状の中央の空間のように、枕本体部１４あるいは枕部４に貫通孔を設けることにより形成されてもよいが、枕本体部１４あるいは枕部４に溝や凹みのような窪みを設けることにより形成されてもよい。あるいは、略馬蹄形もしくは略Ｃ字形状の枕本体部１４あるいは枕部４のように、枕本体部１４あるいは枕部４の内がわに向けて形成された切り欠き部であってもよい。
【００２４】
図２に示すように、枕台部１２ａの上面が前から後方向にかけて降下する傾斜面であってもよい。これにより載置された人の頭部がさらに安定する。
【００２５】
図３にうつぶせ寝用寝具２を用いてうつぶせに就寝した状態を示す。人の頭部１００は枕本体部１４に、一対の棒部６、６はともに人の胸部１０４、胴部１０６に敷かれて位置する。頭部１００が枕本体部１４の後方がわに寄って位置する場合は、棒部６と枕本体部１４との間の空間３７が鼻呼吸時の吸排気を円滑にするので棒部６と枕本体部１４とは５〜１０ｃｍ離れて配置されることが好ましい。。
【００２６】
睡眠中に頭部１００が枕部４からずれたりはずれたりした場合でも、棒部６が位置ガイドとなって意識的あるいは半ば無意識的に身体をうごかして頭部１００の位置をもとに戻すことが容易になる。
【００２７】
さらに、図３において、うつぶせ寝しているときに、棒部６、６のようなクッション性のある物体が人の胸部１０４、胴部１０６に敷かれた状態にあることは、睡眠の安定にとって重要である。このことは、前述のように医師によっても提唱されている。また、一対の棒部６が備わっていることにより、うつぶせ寝しているときに身体が多少動いても、一対の棒部６のうち少なくとも一方が身体の下に敷かれた状態となる確率が高く、安定したうつぶせ寝状態が得られる。
【００２８】
また、棒部６の前方端部と、枕部４の後方端部とが布地９のような可撓性部材を介して連結されていることにより棒部６が枕部４の後方端部近傍を支点として移動可能となり、睡眠中の身体の位置に応じて棒部６を意識的あるいは半ば無意識的に人の胸部１０４、胴部１０６に敷かれた状態にしやすくなる。
【００２９】
図４はうつぶせ寝用寝具２を用いて横向き寝の状態で就寝した状態を示す。通常は、就寝時の初期において図３に示すうつぶせ寝の状態となり、睡眠が進むと半ば無意識にあるいは意識的に横向き寝の状態になる。横向き寝の状態においては、人１０１の肩部１０２のいずれか一方と胸部１０４および胴部１０６の一方の側部とが棒部６、６の間に位置する。
【００３０】
図５は、図４の横向き寝の状態から仰向けの状態に移行しようとする状態を示す。このとき、いずれか一方の棒部６が肩部１０２あるいは胸部１０４、胴部１０６の背後１０７に当たって、仰向けの状態に移行しようとする動きが妨げられる。これにより、睡眠中に半ば無意識的に仰向けの状態に移行しようとする動きがけん制され、横向き寝あるいはうつぶせ寝に再び移行する確率が高くなる。仰向けの状態の睡眠は、無呼吸症候群における無呼吸状態の誘発の要因でもあり、本発明のうつぶせ寝用寝具の使用により、この無呼吸状態の誘発を防止できる。
【００３１】
棒部６は、一時的に人体に敷かれることとなることから、比較的柔らかいクッション性の部材からなることが好ましい。例えば、筒状の袋に布団綿やスポンジのようなクッション材を充填したものであることが好ましい。あるいは、毛布のような嵩高な布体を筒状に巻き取った巻き体であってもよい。棒部６の横幅は５〜２０ｃｍであることが好ましい。
【００３２】
棒部６の長さは、うつぶせ寝の状態で後端が人の腰の近傍に達するほどの２０〜８０ｃｍであることが好ましい。うつぶせ寝時には、背骨が上方に凸に湾曲して胸から腹にかけた部分と睡眠用に敷かれた床の面との間に隙間が出来る傾向にあるので、棒部６の長さが５０〜７０ｃｍであると、棒部６がその隙間を充分に埋める状態となり、楽なうつぶせ寝を実現するうえでさらに好ましい。棒部６の長さが８０ｃｍを超えると、棒部６がその隙間から大きくはみ出すこととなり、長期にわたってうつぶせ寝用寝具を快適に使用するうえでは棒部６の長さは８０ｃｍ以下であることが好ましい。棒部６の長さが２０ｃｍを下回ると、棒部６がその隙間を充分に埋めることができない。
【００３３】
枕本体部１４は棒部６より硬めのクッション性の部材からなることが好ましい。枕台部１２は、枕本体部１４より硬めの部材からなることが好ましい。枕本体部１４と枕台部１２とが一体に形成されていてもよい。枕部４のサイズは通常の枕のサイズほどである。
【００３４】
本発明のさらに他の態様の一例を図６に示す。図６のうつぶせ寝用寝具２ｂは、前方に位置し人の頭部を載置する枕部４ｂと、人の肩部から胴部にかけた部分の近傍に前後方向に互いに略平行に設置される一対の棒部６ｂ、６ｂとから構成される。
【００３５】
棒部６ｂの前方端部７ｂと、枕部４ｂの後方端部５ｂとが連接されている。棒部６ｂは比較的柔らかいクッション性の部材からなり、枕部４ｂは棒部６ｂを構成するクッション性の部材より硬いクッション性の部材からなる。
【００３６】
棒部６ｂの無荷重時の厚さＴｂは、枕部４ｂの無荷重時の高さＨｂより低くされている。枕部４ｂは基床３の面に平行な上面４０と、上面４０に平行な下面４２を備える。上面４０は、前後に関する中間部４２から後方にかけて降下する傾斜面４４に連なっている。
【００３７】
棒部６ｂ、６ｂの間の隙間４５に、横向き寝のときの人の肩部、胸部、胴部が位置する。
【００３８】
棒部６ｂと枕部４ｂとは同じ材料の部材から構成されていてもよい。このときには、枕部４ｂを構成する部材の硬さが棒部６ｂを構成する部材の硬さに比べて硬い場合より、Ｈｂおよび、ＨｂとＴｂとの差を大きくする。例えば、ＨｂをＴｂの２倍以上にする。
【００３９】
本発明のうつぶせ寝用寝具においては、枕部や棒部の材質の種類にかかわらず、枕部が所定の下方への圧縮荷重をうけたときの厚さをＨとし、棒部が他の所定の下方への圧縮荷重をうけたときの基床３の面と直角方向の厚さをＴとしたときに、ＨがＴより大きくされることが必要である。
【００４０】
図７に示すように、この枕部の所定の圧縮荷重は、就寝時に人の頭部が枕部に載置されたときの枕部にかかる荷重に対応するもので、図７に示すように、うつぶせ寝用寝具２ｂで例示される本発明のうつぶせ寝用寝具を水平な基床３に使用状態で載置し、枕部４（４ｂ）を上面視覆う大きさの板５０を枕部４に載置し、さらに平板５０におもり５２を載置したときの、枕部４にかかる荷重である。おもり５２と平板５０の合計の重量は１ｋｇである。
【００４１】
また、この棒部の他の所定の圧縮荷重は、うつぶせ寝状態の就寝時に人の胸部、胴部が棒部に載置されたときの棒部にかかる荷重に対応するもので、図８に示すように、棒部６を上面視一部覆う大きさの板５４を棒部６、６にわたして載置し、さらに板５４におもり５６を載置したときの、棒部６にかかる荷重である。おもり５６と板５４の合計の重量は５ｋｇであり、板５４の前後の幅は１０ｃｍである。
【００４２】
本明細書においては、このようなそれぞれの荷重下での、枕部４の高さＨを使用時対応定荷重高さと、棒部６の厚さＴを使用時対応定荷重厚さと、それぞれ称する。即ち、本発明のうつぶせ寝用寝具においては、枕部の使用時対応定荷重高さＨの値が棒部の使用時対応定荷重厚さＴの値より大きくされる。これにより、安定したうつぶせ寝状態が得られ、医師により提唱されているうつぶせ寝による健康増進効果が期待できる。平板５０や板５４がＨやＴの測定時に水平面に対して傾いているときは平板５０や板５４の下面と基床３との平均距離、即ち、それら板の下面の中心点と基床３との距離をＨやＴとする。
【００４３】
Ｈの値がＴの値と等しいかＴの値を下回ると、安定したうつぶせ寝状態が得られず、医師により提唱されているうつぶせ寝による健康増進効果が期待できない。また、Ｔは１０ｃｍ以下であることが好ましい。Ｔが１０ｃｍを超えるとうつぶせ寝時に違和感を感じ安静な睡眠が妨げられるおそれがある。
【００４４】
図９に本発明のうつぶせ寝用寝具のまたさらに他の態様を示す。図９において、うつぶせ寝用寝具２ｃは、枕部４ｃと、互いに略平行に設置される一対の棒部６ｃ、６ｃとから構成される。棒部６ｃの前方端部７ｃと、枕部４ｃの後方端部５ｃとが面ファスナー６０を介して着脱自在に接合されている。これにより、枕部４ｃと棒部６ｃ、６ｃとを分離して、枕部４ｃを通常の枕として使用できる。棒部６ｃは比較的柔らかいクッション性の部材からなり、枕部４ｃは棒部６ｃを構成するクッション性の部材より硬いクッション性の部材からなる。
【００４５】
棒部６ｃの無荷重時の厚さは、枕部４ｃの無荷重時の高さより高くされている。枕部４ｃの上面４０ｃは、前端から後端にかけて降下する傾斜面となっている。枕部４ｃは上面視略Ｃの字形状をなし、中央の空間部６６が後方に開口している。
【００４６】
棒部６ｃ、６ｃは、面ファスナー６２を介して側面同士で着脱自在に接合していてもよい。さらに、棒部６ｃ、６ｃは前端部において、例えば紐部材６８のような可撓性部材を介して可撓的あるいは枢着的に、後端部が開脚可能となるように結合している。
【００４７】
図１０にうつぶせ寝用寝具２ｃの面ファスナー６２の結合を解放して棒部６ｃ、６ｃの間の間隔をひろげた状態を示す。棒部６ｃ、６ｃは前端部が紐部材６８を介して結合しているので、後端部で互いに離れてハの字形に開脚して広がる。図９はうつぶせ寝するときのうつぶせ寝用寝具２ｃの状態であり、図１０は横向き寝するときのうつぶせ寝用寝具２ｃの状態である。横向き寝するとき、人の胸部、胴部が棒部６ｃ、６ｃの間に位置することとなる。
【００４８】
図１に示すうつぶせ寝用寝具２においても、棒部６、６がそれぞれ可撓性の布地９を介して枕部４と連結されているので、上記ハの字形の開脚が容易である。
【００４９】
図１１に本発明のうつぶせ寝用寝具のまたさらに別の態様を示す。図１１において、うつぶせ寝用寝具２ｄは、枕部４ｄと、互いに略平行に設置される一対の棒部６ｄ、６ｄとから構成される。棒部６ｄは枕部４ｄの下方まで前方に延長されており、この延長された部分７０と、その上に載置されたクッション性部材からなる上面視略Ｃの字形状の枕本体７２とで、枕部４ｄが構成されている。
【００５０】
棒部６ｄ、６ｄはクッション性の部材からなり、長手方向中間部で架橋部材７６を介して結合している。また、棒部６ｄ、６ｄはそれぞれが前端部で曲げられて前端７９で互いに接合している。
【００５１】
その他、本発明は、主旨を逸脱しない範囲で当業者の知識に基づき種々なる改良、修正、変更を加えた態様で実施できるものである。
【図面の簡単な説明】
【００５２】
【図１（ａ）】本発明のうつぶせ寝用寝具の態様の一例を示す側面図である。
【図１（ｂ）】本発明のうつぶせ寝用寝具の態様の一例を示す平面図である。
【図１（ｃ）】図１（ａ）、図１（ｂ）に示すうつぶせ寝用寝具の棒部の後端部の態様示す正面模式説明図である。
【図２】本発明のうつぶせ寝用寝具の他の態様を示す側面図である。
【図３】図１に示すうつぶせ寝用寝具を用いてうつぶせに就寝した状態を示す平面模式図である。
【図４】本発明のうつぶせ寝用寝具を用いて横向き寝の状態で就寝した状態を示し、図４（ａ）は平面模式図、図４（ｂ）は図４（ａ）のＰ−Ｐ方向の断面模式図である。
【図５】図４に示す状態から仰向けの状態に移行しようとする状態を示し、図５（ａ）は平面模式図、図５（ｂ）は図５（ａ）のＱ−Ｑ方向の断面模式図である。
【図６】本発明のうつぶせ寝用寝具のさらに他の態様の一例を示し、図６（ａ）は側面図、図６（ｂ）は平面図、図６（ｃ）は正面図である。
【図７】本明細書における使用時対応定荷重高さの測定方法の説明図であり、図７（ａ）は側面図、図７（ｂ）は平面図である。
【図８】本明細書における使用時対応定荷重厚さの測定方法の説明図であり、図８（ａ）は側面図、図８（ｂ）は平面図である。
【図９】本発明のうつぶせ寝用寝具のまたさらに他の態様の一例を示し、図９（ａ）は側面図、図９（ｂ）は平面図、図９（ｃ）は正面図である。である。
【図１０】図９に示すうつぶせ寝用寝具の面ファスナーの結合を解放して棒部の間の間隔をひろげた状態を示す平面図である。
【図１１】本発明のうつぶせ寝用寝具のさらにまた他の態様の一例を示し、図１１（ａ）は側面図、図１１（ｂ）は平面図である。
【符号の説明】
【００５３】
２、２ａ、２ｂ、２ｃ、２ｄ：うつぶせ寝用寝具
３：基床
４、４ｂ、４ｃ、４ｄ：枕部：枕部
６、６ｂ、６ｃ、６ｄ：棒部
７：端部
８：可撓性部材
１２：枕台部
１４：枕本体部
３０：クッション部材
３５、３７：空隙
【図１（ａ）】
2007282691.tif 000003
【図１（ｂ）】
2007282691.tif 000004
【図１（ｃ）】
2007282691.tif 000005
【図２】
2007282691.tif 000006
【図３】
2007282691.tif 000007
【図４】
2007282691.tif 000008
【図５】
2007282691.tif 000009
【図６】
2007282691.tif 000010
【図７】
2007282691.tif 000011
【図８】
2007282691.tif 000012
【図９】
2007282691.tif 000013
【図１０】
2007282691.tif 000014
【図１１】
2007282691.tif 000015